(57)【要約】【課題】景品その他の小物品を収納する袋体であって、ボトル容器や缶容器等の容器に簡便に添設可能とした物品添設用包装体を提供する。【解決手段】容器の首部に外挿保持される挿入孔４を開設した保持シート部５と、該保持シート部の基端から延びる表裏フィルム８、９により形成された袋部６とから構成され、製造後の状態で、袋部６を保持シート部５に折返し状に重ね合わせ、両側縁をサイドシール１９、１９されている。袋部６と保持シート部５の重ね合わせ面の相互には溶着阻止手段１８が設けられており、使用時には袋部６を保持シート部５から離反し傾動することができる。保持シート部５に対する袋部６の折返し部分には折曲癖を付与された折曲部１３が設けられており、該折曲癖により袋部６を保持シート部５に対して復動方向Ｒに付勢する。【選択図】図１
2009018854.tif 000002
【特許請求の範囲】
【請求項１】
容器の首部(3b)に外挿保持される挿入孔(4)を開設した保形シート(7)を含む保持シート部(5)と、該保持シート部の基端から延びる表裏フィルム(8)(9)により形成され延長端に開閉自在な開口部(12)を設けた袋部(6)とから構成される物品添設用包装体において、
前記袋部(6)は、裏フィルム(9)を折曲癖付きの折曲部(13)により折返して保持シート部(5)に重ね合わせると共に、表フィルム(8)を折曲部(14)により折返して前記裏フィルム(9)に重ね合わせることにより、該袋部(6)を保持シート部(5)に重ね合わせており、
袋部(6)を保持シート部(5)に重ね合わせた状態で両側縁を溶着することにより、表裏フィルム(8)(9)の間に形成された物品収納室(11)を区成するサイドシール部(19)(19)を形成する一方、保持シート部(5)と裏フィルム(9)の重ね合わせ面の相互で少なくとも前記サイドシール部(19)(19)に位置して溶着阻止手段(18)を設けており、
前記溶着阻止手段(18)により裏フィルム(9)を保持シート部(5)から剥離自在に構成すると共に、袋部(6)を保持シート部(5)に重ね合わせられた状態から離反自在に構成し、
袋部(6)を保持シート部(5)から離反したとき、該袋部が保持シート部に対して裏フィルム(9)の折曲部(13)に抗して傾動するが該折曲部(13)の折曲癖により復動方向(R)に付勢されるように構成して成ることを特徴とする物品添設用包装体。
【請求項２】
裏フィルムの折曲部(13)と表フィルムの折曲部(14)を相互に離間配置することにより保持シート部(5)の延長方向に延びる延長室(11a)を形成し、袋部(6)を保持シート部(5)に対して傾動したとき、保持シート部の基端近傍で表フィルム(8)を折曲(14a)させることにより該延長室(11a)を物品収納室(11)と同方向に傾動させ、該延長室(11a)と物品収納室(11)を直線状に連通させるように構成して成ることを特徴とする請求項１に記載の物品添設用包装体。
【請求項３】
保形シート(7)から前記延長室(11a)に進入する延長シート部(7a)を延設し、袋部(6)を保持シート部(5)に対して傾動し、前記延長シート部(7a)を折曲することにより延長室(11a)を物品収納室(11)と同方向に傾動させたとき、折曲された延長シート部(7a)が復元方向(R2)に付勢されるように構成して成ることを特徴とする請求項２に記載の物品添設用包装体。
【請求項４】
周壁(3c)の上端近傍部に周溝(3d)により形成された首部(3b)を設けた容器(1b)に対して、保持シート部(5)の挿入孔(4)を前記周壁(3d)に外挿する構成とされ、
前記周溝(3d)に係合する爪片(4a)を前記挿入孔(4)の縁から内向きに突設して成ることを特徴とする請求項１、２又は３に記載の物品添設用包装体。
【発明の詳細な説明】
【技術分野】
【０００１】
本発明は、景品その他の小物品を収納する袋体であって、ボトル容器や缶容器等の容器に簡便に添設可能とした物品添設用包装体に関する。
【背景技術】
【０００２】
近年、缶容器やボトル容器等の容器に入れられた清涼飲料、炭酸飲料或いはアルコール飲料等の飲料品の販売促進のため、スーパーマーケットやコンビニエンスストア等の店舗において、該容器に景品を添設した状態で展示販売を行うことが望まれている。例えば、特許文献１に示されるような吊下包装体が提案されており、該包装体は、ヘッダー部に設けた吊下手段をボトル容器の首部に挿入装着し、景品を収容する袋部を吊下支持するように構成している。
【０００３】
【特許文献１】特開２００５−２９７９９１号公報
【発明の開示】
【発明が解決しようとする課題】
【０００４】
しかしながら、特許文献１のような吊下包装体は、景品をボトル容器の首部に吊下支持するタイプであるので、景品を収容した袋部がぶらぶらと揺動して不安定であり、安定した展示効果を期待できない。また、包装体は、ヘッダー部から袋部を延設することにより全体として長く延びるシート形態に構成されているので、運搬・保管等のために多数の包装体を積層状態で梱包する際に広い梱包面積を必要とし、嵩張るという問題がある。
【０００５】
本発明は、上記に鑑みてなされたものであり、使用前はコンパクトであって広い梱包面積を必要とせず運搬・保管に便利であり、使用時には、展開するだけで容器に簡便に添設可能であり、しかも、景品を収納した袋部を安定状態で展示できるようにした物品添設用包装体を提供する。
【課題を解決するための手段】
【０００６】
そこで、本発明が上記課題の解決手段として構成したところは、容器の首部に外挿保持される挿入孔を開設した保形シートを含む保持シート部と、該保持シート部の基端から延びる表裏フィルムにより形成され延長端に開閉自在な開口部を設けた袋部とから構成される物品添設用包装体において、  前記袋部は、裏フィルムを折曲癖付きの折曲部により折返して保持シート部に重ね合わせると共に、表フィルムを折曲部により折返して前記裏フィルムに重ね合わせることにより、該袋部を保持シート部に重ね合わせており、  袋部を保持シート部に重ね合わせた状態で両側縁を溶着することにより、表裏フィルムの間に形成された物品収納室を区成するサイドシール部を形成する一方、保持シート部と裏フィルムの重ね合わせ面の相互で少なくとも前記サイドシール部に位置して溶着阻止手段を設けており、  前記溶着阻止手段により裏フィルムを保持シート部から剥離自在に構成すると共に、袋部を保持シート部に重ね合わせられた状態から離反自在に構成し、  袋部を保持シート部から離反したとき、該袋部が保持シート部に対して裏フィルムの折曲部に抗して傾動するが該折曲部の折曲癖により復動方向に付勢されるように構成して成る点にある。
【０００７】
本発明の実施形態において、裏フィルムの折曲部と表フィルムの折曲部を相互に離間配置することにより保持シート部の延長方向に延びる延長室を形成することが好ましい。この際、延長室は、袋部を保持シート部に対して傾動したとき、保持シート部の基端近傍で表フィルムを折曲させることにより該延長室を物品収納室と同方向に傾動させ、該延長室と物品収納室を直線状に連通させるように構成されている。
【０００８】
また、保形シートから前記延長室に進入する延長シート部を延設することが好ましい。この際、延長シート部は、袋部を保持シート部に対して傾動し、前記延長シート部を折曲することにより延長室を物品収納室と同方向に傾動させたとき、折曲された延長シート部が復元方向に付勢されるように構成されている。
【０００９】
更に、物品添設用包装体を缶容器のような周壁の上端近傍部に周溝により形成された首部を設けた容器に対して添設する実施形態の場合、保持シート部の挿入孔を前記周壁に外挿するように構成され、前記周溝に係合する爪片を前記挿入孔の縁から内向きに突設することが好ましい。
【発明の効果】
【００１０】
請求項１に記載の本発明によれば、包装体２ａ、２ｂは、製造後の状態において、袋部６に保持シート部５を折返して重ね合わせたコンパクトな構成であり、広い梱包面積を必要としないので、運搬・保管に便利となる。
【００１１】
このように袋部６を保持シート部５に重ねた構成でありながら、サイドシール部１９、１９に位置して設けた溶着阻止剤１８により、袋部６を保持シート部５から剥離し離反できる構成であるから、使用に際しては、袋部６を保持シート部５に対して傾動させた状態で、袋部６の開口部１２から物品収納室１１に景品等の小物品Ｍを好適に収納することができる。
【００１２】
そして、袋部６に小物品Ｍを収納した状態で、保持シート部５の挿入孔４を容器の首部３ｂに外挿保持することにより、包装体２ａ、２ｂを簡単容易にボトル容器１ａや缶容器１ｂ等の容器に添設することができる。
【００１３】
この点に関して、包装体２ａ、２ｂは、袋部６を保持シート部５に折返し重ね合わせられた製造後の状態において、折曲癖を付与された折曲部１３により裏フィルム９を折返して保持シート部５に重ね合わせられていたものであるから、袋部６を保持シート部５から離反して傾動した状態において、袋部６は、保持シート部５に対して前記折曲部１３に抗して傾動するが、該折曲部１３の折曲癖により復動方向に付勢されている。
【００１４】
このため、ボトル容器１ａの首部３ｂに保持シート部５の挿入孔４を外挿保持させた包装体２ａにおいては、袋部６が折曲部１３の付勢力により復動されて下端をボトル容器１ａの胴部３ａに押し付け状態で当接するので、袋部６がぶらぶら揺動することはなく、安定した状態で展示される
【００１５】
また、缶容器１ｂの首部３ｂの周溝３ｄに保持シート部５の挿入孔４を外挿保持させた包装体２ｂにおいては、袋部６が折曲部１３の付勢力により復動されて缶容器１ｂの頂部にほぼ重ねられた状態で定置するので、安定した状態で展示される。
【００１６】
請求項２に記載の本発明によれば、裏フィルム９の折曲部１３と表フィルム８の折曲部１４を相互に離間配置することにより保持シート部５の延長方向に延びる延長室１１ａを形成することができるので、物品収納室１１を簡単容易に拡張することができる。そして、この延長室１１ａは、袋部６を保持シート部５に対して傾動したとき、物品収納室１１と同方向に傾動されることにより該物品収納室１１と直線状に連通されるので、該物品収納室１１から延長室１１ａに向けて小物品Ｍを好適に収納することができる。
【００１７】
請求項３に記載の本発明によれば、保形シート７から前記延長室１１ａに進入する延長シート部７ａが延設されている。そこで、袋部６を保持シート部５に対して傾動したとき、前記延長シート部７ａが折曲７ｂされることにより延長室１１ａを物品収納室１１と同方向に傾動させる。従って、折曲７ｂされた延長シート部７ａが復元方向に付勢され、袋部６を復動させるので、請求項１に記載した折曲部１３の折曲癖による復動方向Ｒ１への付勢のみならず、延長シート部７ａの折曲７ｂの復元による復動方向Ｒ２への付勢が加わるので、袋部６が一層安定した状態で展示される。
【００１８】
請求項４に記載の本発明によれば、缶容器１ｂの首部３ｂの周溝３ｄに保持シート部５の挿入孔４を外挿保持させる包装体２ｂに関して、前記周溝３ｄに係合する爪片４ａを挿入孔４の縁から内向きに突設しているので、保持シート部５の挿入孔４を首部３ｂに外挿したとき、爪片４ａが周溝３ｄに係合することにより保持シート部５を固定し、不慮に脱落することを好適に防止する。
【発明を実施するための最良の形態】
【００１９】
以下図面に基づいて本発明の好ましい実施形態を詳述する。
【００２０】
＜ボトル容器用の包装体＞
図１は、ボトル容器１ａに添設するための物品添設用包装体２ａの実施形態を示しており、ボトル容器１ａは、大径の胴部３ａから上方に延びる小径の首部３ｂを有している。包装体２ａは、ボトル容器１ａの首部３ｂに挿脱自在に外挿保持される挿入孔４を開設した保持シート部５と、該保持シート部５の基端から延びる袋部６を備えている。
【００２１】
＜ボトル容器用包装体の第１実施形態＞
図２は、前記包装体２ａの第１実施形態を示しており、図２（Ａ）及び図２（Ｂ）は製造後かつ使用前の状態を示し、図２（Ｃ）は使用時の状態を示している。
【００２２】
図２（Ａ）及び図２（Ｂ）に示すように、製造後かつ使用前の状態において、包装体２ａは、保持シート部５に対して袋部６を折返し重ね合わせた状態とされている。
【００２３】
（保持シート部の構成）
前記保持シート部５は、合成紙又は合成樹脂シートにより構成された厚手の保形シート７を含んで形成されており、ほぼ中央に位置して該保持シート部５を貫通する挿入孔４を開設している。
【００２４】
図示実施形態の場合、保持シート部５は、保形シート７の上面に合成樹脂製の表フィルム８の基端部８ａを重ね合わせると共に、保形シート７の下面に合成樹脂製の裏フィルム９の基端部９ａを重ね合わせ、保持シート部５の幅方向に延びる溶着線１０を形成することにより、保形シート７と表裏フィルムの基端部８ａ、９ａをサンドイッチ状に溶着し、保形シート７と表裏フィルムの基端部８ａ、９ａを含んで貫通するように挿入孔４を開設している。図例の場合、表裏フィルム８、９は、保形シート７の上下面を挟んで半折された１枚のフィルムにより構成されているが、２枚のフィルムを保形シート７の上下面に重ねて固着しても良い。尚、挿入孔４は、保持シート部５を溶断刃で打抜き溶断することにより、該挿入孔４の縁に沿って保形シート７と表裏フィルムの基端部８ａ、９ａをサンドイッチ状に溶着していることが好ましい。
【００２５】
（袋部の構成）
前記袋部６は、保持シート部５の基端から延びる表裏フィルムにより形成されている。図示実施形態の場合、前記表裏フィルム８、９を基端部８ａ、９ａから延長することにより両フィルム８、９間に物品収納室１１を形成する袋部６を構成し、延長端に開閉自在な開口部１２を設けている。
【００２６】
裏フィルム９は、保形シート７の基端近傍で折曲癖付きの折曲部１３により折返されると共に保持シート部５の下面に重ね合わせられ、該裏フィルム９の延長端９ｂを保持シート部５の先端（前記基端の反対側の端）を越えた位置に配置する。表フィルム８は、折曲部１４により折返されると共に前記裏フィルム９の下面に重ね合わせられ、該表フィルム８の延長端８ｂを前記裏フィルム９の延長端９ｂを越える位置に配置することにより封口片１５を形成し、該封口片１５の内側面には幅方向に延びる粘着テープから成る粘着手段１６を設け、該粘着手段１６を離型テープ１７により被覆している。このように、袋部６は、保持シート部５の下面に重ね合わせられている。
【００２７】
前記表フィルム８の折曲部１４は、保持シート部５の延長方向に関して、裏フィルム９の折曲部１３から離間配置されており、表フィルム８の折曲部１４により保持シート部５の延長方向に延びる延長室１１ａを形成している。
【００２８】
前記保持シート部５と裏フィルム９の重ね合わせ面の相互には溶着阻止剤１８が設けられている。溶着阻止剤１８は、例えば印刷インクから成り、少なくとも包装体２ａの両側縁部分に位置して設けられる。図例の場合、裏フィルム９の所定位置に印刷インクを印刷形成することにより溶着阻止剤１８を設けているが、裏フィルム９ではなく保持シート部５に設けても良い。
【００２９】
上述のように袋部６を保持シート部５に重ね合わせた状態で、両側縁を溶断溶着又は溶着することにより包装体２ａにサイドシール部１９、１９が形成される。従って、サイドシール部１９、１９に位置して表裏フィルム８、９が相互に溶着され、物品収納室１１及び延長室１１ａの両側縁を区成する。同時に、保持シート部５の両側縁は、保形シート７と表裏フィルムの基端部８ａ、９ａをサンドイッチ状に溶着される。保持シート部５と袋部６の相互、即ち、保持シート部５を構成する裏フィルムの基端部９ａとこれに折返して重ね合わせられた裏フィルム９の間には溶着阻止剤１８が設けられているので、軽く溶着されることはあっても強く溶着されることはなく、剥離自在とされる。
【００３０】
（包装体の製造後かつ使用前の状態）
このため、サイドシール部１９、１９の形成により製品として完成した包装体２ａは、図２（Ｂ）に示すように袋部６を保持シート部５に重ね合わせられている。従って、包装体２ａは、外形の寸法が小さくコンパクトであり、広い梱包面積を必要としないので、運搬・保管に便利である。
【００３１】
（包装体の使用時の状態）
包装体２ａは、図２（Ｂ）に示すような袋部６を保持シート部５に重ね合わせた状態から、図２（Ｃ）に示すように、前記溶着阻止剤１８の部分で剥離することにより、袋部６を保持シート部５から下方に離反させることができる。
【００３２】
袋部６を保持シート部５から離反させ、保持シート部５に対して下向きに傾動させると、保持シート部５の基端近傍で表フィルム８が起立方向に折曲１４ａされ、これにより延長室１１ａを物品収納室１１と同方向に傾動させるので、延長室１１ａと物品収納室１１を直線状に連通させることができる。従って、袋部６の開口部１２から物品収納室１１及び延長室１１ａに景品等の小物品Ｍを挿入し、粘着手段１６を介して封口片１５により開口部１２を封口することにより小物品Ｍが袋部６に収納される。
【００３３】
そこで、図１に示すように、保持シート部５の挿入孔４をボトル容器１ａの首部３ｂに外挿保持することにより、小物品Ｍを収納した袋部６が胴部３ａに沿って添設される。従って、包装体２ａは、展開するだけで容器の首部３ｂに簡便に添設可能である。この際、袋部６を構成する表裏フィルム８、９の両方又は少なくとも表フィルム８を透明又は半透明に形成しておけば、袋部６の外部から小物品Ｍを視認することができる。
【００３４】
ところで、袋部６を保持シート部５から離反させ傾動したとき、袋部６は裏フィルム９の折曲部１３に抗して傾動されるが、該折曲部１３は、上述のように予め折曲癖を付与されているので、展開された折曲部１３が折曲癖により、袋部６を図２（Ｃ）の矢印Ｒのように復動方向に付勢する。このため、袋部６の下端がボトル容器１ａの胴部３ａに押し付けられるので、袋部６がぶらぶら揺動することはなく、安定した状態で展示される。
【００３５】
＜ボトル容器用包装体の製造方法＞
図３は、上記第１実施形態に係る包装体２ａの製造方法の１例を示している。先ず、図３（Ａ）に示すように、長尺テープ状の保形シート７に対して、帯状のフィルムを半折することにより形成された表裏フィルム８、９が、半折部の近傍のフィルム基端部８ａ、９ａにより保形シート７を挟むようにして被せられ、この状態で長手方向に間欠的に移送され、移送方向に連続する溶着線１０、１０を形成することにより一体化されると共に、移送方向に所定ピッチＰで間隔をあけて挿入孔４を開設される。この際、裏フィルム９は保形シート７から延長端９ｂまで長く延び、表フィルム８は保形シート７から前記延長端９ｂを越える延長端８ｂまで長く延び、該延長端８ｂの内側面に離型テープ１７により被覆された粘着手段１６を設けている。
【００３６】
その後、図３（Ｂ）に示すように、表裏フィルム８、９が保形シート７の裏面側に折曲部１４、１３を介して折返され、該保形シート７の裏面側に重ね合わせられ、長尺の包装体半製品２Ａが形成される。この際、裏フィルム９の折曲部１３は、折返し重合されており、折曲癖を付与される。この状態で、長尺の包装体半製品２Ａを前記移送方向に間欠移送し、隣接する挿入孔４、４の間に位置して前記所定ピッチＰに相当するサイドシール線Ｃ−Ｃに沿って包装体半製品２Ａを溶断すると、図３（Ｃ）に示すように保持シート部５に袋部６を折返し重ね合わせた状態でサイドシール部１９、１９を形成された包装体２ａが得られる。尚、図面は、理解の便宜上、２個所にサイドシール線Ｃ−Ｃを示しているが、包装体半製品２Ａを間欠移送しながら溶断するので、実際には１個所のサイドシール線Ｃ−Ｃに沿って溶断を行えば良い。
【００３７】
説明が前後するが、図３（Ｂ）に示すように、包装体半製品２Ａは、保形シート７を被覆する裏フィルムの基端部９ａと、該基端部９ａに重ね合わせられた裏フィルム９の相互間、つまり、少なくとも一方に溶着阻止剤１８が施されている。この溶着阻止剤１８は、基端部９ａと裏フィルム９の対向面の全面に設けても良いが、図示のように少なくともサイドシール線Ｃ−Ｃに沿って設けられており、基端部９ａと裏フィルム９をサイドシール部１９、１９に位置して相互に剥離自在とする。従って、サイドシールにより包装体半製品２Ａから分離されることにより形成された包装体２ａは、上述のように袋部６を保持シート部５から剥離自在とされ、剥離することにより袋体６を保持シート部５に対して離反し傾動できる構成とされる。
【００３８】
＜ボトル容器用包装体の第２実施形態＞
図４は、包装体２ａの第２実施形態を示しており、図４（Ａ）及び図４（Ｂ）は製造後かつ使用前の状態を示し、図４（Ｃ）は使用時の状態を示している。
【００３９】
包装体２ａは、上記第１実施形態とほぼ同様であり、相違点だけを説明すると、表フィルム８の延長端８ｂに対して、裏フィルム９の延長端９ｂを長く形成し、該延長端９ｂにより封口片１５を形成し、該封口片１５の内側面に離型テープ１７により被覆された粘着手段１６を設けている。その他の構成は上記第１実施形態と同様であるから、同一構成部分は同一符号で示し、上述の説明を援用する。
【００４０】
尚、第１実施形態及び第２実施形態の何れの包装体２ａにおいても、図４（Ｂ）及び図４（Ｃ）に破線で示すように、表フィルム８の折曲部１４と裏フィルム９の折曲部１３の離間距離を長く設定することにより、延長室１１ａを図示の例よりも長いものとなるように形成することが自由である。
【００４１】
＜ボトル容器用包装体の第３実施形態＞
図５は、包装体２ａの第３実施形態を示しており、図５（Ａ）及び図５（Ｂ）は製造後かつ使用前の状態を示し、図５（Ｃ）は使用時の状態を示している。
【００４２】
包装体２ａは、上記第１実施形態とほぼ同様であり、相違点だけを説明すると、保形シート７は、延長室１１ａに進入する延長シート部７ａを延設している。そこで、溶着阻止剤１８を介して袋部６を保持シート部５から剥離し、該袋部６を保持シート部５に対して離反方向に傾動させる際に、延長シート部７ａが折曲７ｂされることにより延長室１１ａを物品収納室１１と同方向に傾動させるように構成されている。従って、傾動された袋部６は、上述と同様に裏フィルム９の折曲部１３の折曲癖により矢印Ｒ１で示す復動方向に付勢される他、延長シート部７ａの折曲７ｂの復元力により矢印Ｒ２で示すように復動方向に付勢される。従って、挿入孔４により保持シート部５をボトル容器１ａの首部３ｂに外挿保持したとき、袋部６の下端がボトル容器１ａの胴部３ａに対して第１実施形態及び第２実施形態の場合よりも一層強く押し付けられ、袋部６を安定した状態で展示する。その他の構成は上記第１実施形態と同様であるから、同一構成部分は同一符号で示し、上述の説明を援用する。
【００４３】
＜ボトル容器用包装体の第４実施形態＞
図６は、包装体２ａの第４実施形態を示しており、図６（Ａ）及び図６（Ｂ）は製造後かつ使用前の状態を示し、図６（Ｃ）は使用時の状態を示している。
【００４４】
包装体２ａは、上記第１実施形態とほぼ同様であり、相違点だけを説明すると、表裏フィルム８、９は、基端部８ａ、９ａを折曲して重ね合わせられ、該基端部８ａ、９ａを保形シート７に重ね合わせると共に、保形シート７の先端部と基端部に位置して溶着線１０ａ、１０ｂにより一体化され、これにより保持シート部５を構成している。裏フィルム９は、保形シート７の基端を包み込むように折返されることにより折曲部１３を形成し、該折曲部１３に折曲癖を付与している。溶着阻止剤１８は、相互に重ね合わせられる保形シート７と裏フィルム９の相互に設けられている。その他の構成は上記第１実施形態と同様であるから、同一構成部分は同一符号で示し、上述の説明を援用する。
【００４５】
＜缶容器用の包装体＞
図７は、缶容器１ｂに添設するための物品添設用包装体２ｂの実施形態を示しており、缶ビールや缶コーヒー等のような缶容器１ａは、胴部３ａの周壁３ｃの上端近傍部に周溝３ｄにより形成された首部３ｂを有し、首部３ｂの上部にやや大径の口縁部３ｅを備えている。包装体２ｂは、缶容器１ｂの首部３ｂに挿脱自在に外挿保持される挿入孔４を開設した保持シート部５と、該保持シート部５の基端から延びる袋部６を備えている。
【００４６】
前記挿入孔４の内径ｒは、缶容器１ｂの口縁部３ｅを挿入自在とするように形成されており、該挿入孔４の縁から内向きに突出し前記周溝３ｄに係脱自在に係合する爪片４ａを挿入孔４の周方向に間隔をあけて複数突設している。
【００４７】
図８は、前記保持シート部５と爪片４ａの実施例を示している。保持シート部５の実施例に関して、保持シート部５は、図８（Ａ）及び図８（Ｄ）に示すような角張った矩形に形成しても良く、図８（Ｂ）に示すように先端側をほぼ半円状に形成しても良く、或いは、図８（Ｃ）に示すように先端側の隅部に円弧縁を形成しても良く、更には、図示省略しているが先端側の隅部を切り落とした形状に形成しても良い。
【００４８】
爪片４ａの実施例に関して、図８（Ａ）に示す実施例の場合、挿入孔４の周方向に等間隔をあけて４個の爪片４ａを保持シート部５から突設している。図８（Ｂ）に示す実施例の場合、挿入孔４の周方向に等間隔をあけて６個の爪片４ａを保持シート部５から突設している。図８（Ｃ）に示す実施例の場合、爪片４ａの先端が円弧を描くように形成され、爪片４ａの両側と挿入孔４の縁が円弧により連続するように形成されている。更に、図８（Ｄ）に示す実施例の場合、保持シート部５に開設した小径孔４ｂの周縁に放射方向の切り溝４ｃを多数形成することにより爪片４ａを形成し、切り溝４ｃの溝端により直径ｒの挿入孔４を形成する。
【００４９】
＜缶容器用包装体の第１実施形態＞
図９は、前記包装体２ｂの第１実施形態を示しており、図９（Ａ）は製造後かつ使用前の状態を示し、図９（Ｂ）は使用時の状態を示している。
【００５０】
図９（Ａ）に示すように、製造後かつ使用前の状態において、包装体２ｂは、保持シート部５に対して袋部６を折返し重ね合わせた状態とされている。
【００５１】
（保持シート部の構成）
前記保持シート部５は、合成紙又は合成樹脂シートにより構成された厚手の保形シート７を含んで形成されており、ほぼ中央に位置して該保持シート部５を貫通する挿入孔４を開設し、該挿入孔４から内向きに爪片４ａを突設している。
【００５２】
図示実施形態の場合、保持シート部５は、保形シート７の下面に合成樹脂製の表フィルム８の基端部８ａを重ね合わせると共に、保形シート７の上面に合成樹脂製の裏フィルム９の基端部９ａを重ね合わせ、保持シート部５の幅方向に延びる溶着線１０を形成することにより、保形シート７と表裏フィルムの基端部８ａ、９ａをサンドイッチ状に溶着し、保形シート７と表裏フィルムの基端部８ａ、９ａを含んで貫通するように挿入孔４を開設すると共に爪片４ａを形成している。図例の場合、表裏フィルム８、９は、保形シート７の表裏を挟んで半折された１枚のフィルムにより構成されているが、２枚のフィルムを保形シート７の表裏に重ねて固着しても良い。尚、爪片４ａを備えた挿入孔４は、保持シート部５を溶断刃で打抜き溶断することにより、該挿入孔４と爪片４ａの縁に沿って保形シート７と表裏フィルムの基端部８ａ、９ａをサンドイッチ状に溶着していることが好ましい。
【００５３】
（袋部の構成）
前記袋部６は、保持シート部５の基端から延びる表裏フィルムにより形成されている。図示実施形態の場合、前記表裏フィルム８、９を基端部８ａ、９ａから延長することにより両フィルム８、９間に物品収納室１１を形成する袋部６を構成し、延長端に開閉自在な開口部１２を設けている。
【００５４】
裏フィルム９は、保形シート７の基端近傍で折曲癖付きの折曲部１３により折返されると共に保持シート部５に重ね合わせられ、該裏フィルム９の延長端９ｂを保持シート部５の先端（前記基端の反対側の端）を越えた位置に配置する。表フィルム８は、折曲部１４により折返されると共に前記裏フィルム９に重ね合わせられ、該表フィルム８の延長端８ｂを前記裏フィルム９の延長端９ｂを越える位置に配置することにより封口片１５を形成し、該封口片１５の内側面には幅方向に延びる粘着テープから成る粘着手段１６を設け、該粘着手段１６を離型テープ１７により被覆している。このように、袋部６は、保持シート部５に重ね合わせられている。
【００５５】
前記表フィルム８の折曲部１４は、保持シート部５の延長方向に関して、裏フィルム９の折曲部１３から離間配置されており、表フィルム８の折曲部１４により保持シート部５の延長方向に延びる延長室１１ａを形成している。
【００５６】
前記保持シート部５と裏フィルム９の重ね合わせ面の相互には溶着阻止剤１８が設けられている。溶着阻止剤１８は、例えば印刷インクから成り、少なくとも包装体２ｂの両側縁部分に位置して設けられる。図例の場合、裏フィルム９の所定位置に印刷インクを印刷形成することにより溶着阻止剤１８を設けているが、裏フィルム９ではなく保持シート部５に設けても良い。
【００５７】
上述のように袋部６を保持シート部５に重ね合わせた状態で、両側縁を溶断溶着又は溶着することにより包装体２ｂにサイドシール部（図示省略）が形成される。従って、サイドシール部に位置して表裏フィルム８、９が相互に溶着され、物品収納室１１及び延長室１１ａの両側縁を区成する。同時に、保持シート部５の両側縁は、保形シート７と表裏フィルムの基端部８ａ、９ａをサンドイッチ状に溶着される。保持シート部５と袋部６の相互、即ち、保持シート部５を構成する裏フィルムの基端部９ａとこれに折返して重ね合わせられた裏フィルム９の間には溶着阻止剤１８が設けられているので、軽く溶着されることはあっても強く溶着されることはなく、剥離自在とされる。
【００５８】
（包装体の製造後かつ使用前の状態）
このため、サイドシール部の形成により製品として完成した包装体２ｂは、図９（Ａ）に示すように袋部６を保持シート部５の上面に重ね合わせられている。従って、包装体２ｂは、寸法が小さくコンパクトであり、広い梱包面積を必要としないので、運搬・保管に便利である。
【００５９】
（包装体の使用時の状態）
包装体２ｂは、図９（Ａ）に示すような袋部６を保持シート部５に重ね合わせた状態から、図９（Ｂ）に示すように、前記溶着阻止剤１８の部分で剥離することにより、袋部６を保持シート部５から上方に離反させることができる。
【００６０】
袋部６を保持シート部５から離反させ、保持シート部５に対して上向きに傾動させると、保持シート部５の基端近傍で表フィルム８が下向きに折曲１４ａされ、これにより延長室１１ａを物品収納室１１と同方向に傾動させるので、延長室１１ａと物品収納室１１を直線状に連通させることができる。従って、袋部６の開口部１２から物品収納室１１及び延長室１１ａに景品等の小物品Ｍを挿入し、粘着手段１６を介して封口片１５により開口部１２を封口することにより小物品Ｍが袋部６に収納される。
【００６１】
そこで、図９（Ｂ）に示すように、保持シート部５の挿入孔４を缶容器１ｂの口縁部３ｅを経て首部３ｂに外挿すると、爪片４ａが上向きに折曲されながら周溝３ｄに嵌合係止され、保持シート部５を首部３ｂに固定するので、小物品Ｍを収納した袋部６が缶容器１ｂにほぼ起立した姿勢で添設される。従って、包装体２ｂを容器の首部３ｂに簡便に添設することができる。この際、袋部６を構成する表裏フィルム８、９の両方又は少なくとも表フィルム８を透明又は半透明に形成しておけば、袋部６の外部から小物品Ｍを視認することができる。
【００６２】
ところで、袋部６を保持シート部５から離反させ傾動したとき、袋部６は裏フィルム９の折曲部１３に抗して傾動されるが、該折曲部１３は、上述のように予め折曲癖を付与されているので、展開された折曲部１３が折曲癖により、袋部６を図９（Ｂ）の矢印Ｒのように復動方向に付勢する。このため、図示鎖線で示すように、袋部６が缶容器１ｂの頂部に重ねられた状態で定置し、安定した状態で展示される。
【００６３】
この際、破線で示すように、保形シート７から延長室１１ａに延びる延長シート部７ａを延設しておけば、小物品Ｍを収納するために袋部６を保持シート部５から起立方向に傾動させたとき、延長シート部７ａが折曲されることにより復元力を蓄積するので、袋部６に小物品Ｍを収納した後、袋部６が前記復元力により矢印Ｒ方向に付勢され、これにより袋部６を缶容器１ｂの頂部に重ねられる位置まで移動し、安定した状態で展示する。
【００６４】
＜缶容器用包装体の製造方法＞
上記包装体２ｂの製造方法は、挿入孔４を開設する際に同時に爪片４ａを形成する点で相違する他は、図３に基づいて上述したボトル容器用包装体２ａの製造方法と同様であるから、図３の記載と上述の説明を援用する。
【００６５】
＜缶容器用包装体の第２実施形態＞
図１０は、前記包装体２ｂの第２実施形態を示しており、図１０（Ａ）は製造後かつ使用前の状態を示し、図１０（Ｂ）は使用時の状態を示している。
【００６６】
包装体２ｂは、図９に基づいて上述した第１実施形態とほぼ同様であり、相違点だけを説明すると、表フィルム８の延長端８ｂの上面に粘着手段１６ａを介してテープ状の封口片１５ａを設け、更に該封口片１５ａの上面に補助粘着手段１６ｂを設け、該補助粘着手段１６ｂを補助離型テープ１７ｂにより被覆している。尚、粘着手段１６ａの露出面も離型テープ１７ａにより被覆されている。
【００６７】
この第２実施形態によれば、図１０（Ｂ）に鎖線で示すように、袋部６を保持シート部５から離反して傾動させ、開口部１２から物品収納室１１に景品等の小物品を挿入した後、離型テープ１７ａを剥離した状態で表フィルム８の延長端８ｂ又は封口片１５ａを折返して、粘着手段１６ａを裏フィルム９の延長端９ａに粘着することにより開口部１２を封口すると、補助粘着手段１６ｂが保持シート部５に対向する。そこで、保持シート部５の挿入孔４に缶容器１ｂの首部３ｂを外挿保持した後、補助離型テープ１７ｂを剥離することにより露出した補助粘着手段１６ｂを保持シート部５の先端側の上面に粘着すれば、図示実線で示すように、袋部６が缶容器１ｂの頂部に重ねられた状態で固定され、安定した状態で展示される。その他の構成は図９に基づいて上述した第１実施形態と同様であるから、同一構成部分は同一符号で示し、上述の説明を援用する。
【００６８】
＜缶容器用包装体の第３実施形態＞
図１１は、前記包装体２ｂの第３実施形態を示しており、図１１（Ａ）は製造後かつ使用前の状態を示し、図１１（Ｂ）は使用時の状態を示している。
【００６９】
包装体２ｂは、図９に基づいて上述した第１実施形態とほぼ同様であり、相違点だけを説明すると、保持シート部５の先端側の上面に補助粘着手段１６ｂを設け、該補助粘着手段１６ｂを補助離型テープ１７ｂにより被覆している。即ち、このような補助離型テープ１７ｂと補助粘着手段１６ｂを設けた保持シート部５に対して、袋部６が折返され保持シート部５の上に重ね合わせられた状態でサイドシールされ、包装体２ｂを形成している。
【００７０】
そこで、図１１（Ｂ）に鎖線で示すように、袋部６を保持シート部５から離反して傾動させ、開口部１２から物品収納室１１に景品等の小物品を挿入した後、離型テープ１７を剥離した状態で封口片１５を折返し、粘着手段１６を介して開口部１２を封口すると共に、補助離型テープ１７ｂを剥離することにより保持シート部５の補助粘着手段１６ｂを露出させた状態で、袋部６を缶容器１ｂの上面に重ねると、袋部６が補助粘着手段１６ｂに粘着されるので、図示実線で示すように、袋部６が缶容器１ｂの頂部に重ねられた状態で固定され、安定した状態で展示される。その他の構成は図９に基づいて上述した第１実施形態と同様であるから、同一構成部分は同一符号で示し、上述の説明を援用する。
【００７１】
＜その他の実施例＞
上述した各実施形態において、袋部６を構成する表裏フィルム８、９は、少なくとも内面に防曇処理を施すことができる。このような防曇処理は、原料樹脂に防曇剤を混練して合成樹脂フィルムを成形する場合や、合成樹脂フィルムの表面に防曇剤をコーティングする場合等、任意の方法によることができる。防曇剤は公知のものが使用可能であり、例えば、界面活性剤を含む組成物を使用すれば、界面活性剤が水滴の表面張力を低下させてフィルム表面の結露を防止する。このような防曇処理により、例えば、包装体２ａ、２ｂを添設した容器１ａ、１ｂを冷蔵庫に保管する場合でも、袋部６の内面に結露が生じることを防止できる。尚、合成樹脂フィルムの全体に防曇処理を施しても良いが、結露は主として袋部６の内面に生じるので、少なくとも袋部６の内面に防曇処理を施せば良い。
【図面の簡単な説明】
【００７２】
【図１】ボトル容器に添設するための物品添設用包装体の実施形態を示す斜視図である。
【図２】ボトル容器用包装体の第１実施形態を示しており、（Ａ）は製造後かつ使用前の状態を示す斜視図、（Ｂ）は製造後かつ使用前の状態を示す断面図し、（Ｃ）は使用時の状態を示す断面図である。
【図３】第１実施形態に係るボトル容器用包装体の製造方法の１例を示しており、（Ａ）は保形シート７と表裏フィルムを組み合わせ、溶着線を形成すると共に挿入孔を開設した状態を示す斜視図、（Ｂ）は表裏フィルムを保形シート７の裏面側に折返すことにより長尺の包装体半製品を形成した状態を示す斜視図、（Ｃ）は前記包装体半製品をサイドシールすることにより形成された包装体を示す斜視図である。
【図４】ボトル容器用包装体の第２実施形態を示しており、（Ａ）は製造後かつ使用前の状態を示す斜視図、（Ｂ）は製造後かつ使用前の状態を示す断面図し、（Ｃ）は使用時の状態を示す断面図である。
【図５】ボトル容器用包装体の第３実施形態を示しており、（Ａ）は製造後かつ使用前の状態を示す斜視図、（Ｂ）は製造後かつ使用前の状態を示す断面図し、（Ｃ）は使用時の状態を示す断面図である。
【図６】ボトル容器用包装体の第４実施形態を示しており、（Ａ）は製造後かつ使用前の状態を示す斜視図、（Ｂ）は製造後かつ使用前の状態を示す断面図し、（Ｃ）は使用時の状態を示す断面図である。
【図７】缶容器に添設するための物品添設用包装体の実施形態を示す斜視図である。
【図８】缶容器用包装体における保持シート部の形態を示しており、（Ａ）（Ｂ）（Ｃ）（Ｄ）は、保持シート部と爪片の異なる実施例を例示する平面図である。
【図９】缶容器用包装体の第１実施形態を示しており、（Ａ）は製造後かつ使用前の状態を示す断面図、（Ｂ）は使用時の状態を示す断面図である。
【図１０】缶容器用包装体の第２実施形態を示しており、（Ａ）は製造後かつ使用前の状態を示す断面図、（Ｂ）は使用時の状態を示す断面図である。
【図１１】缶容器用包装体の第３実施形態を示しており、（Ａ）は製造後かつ使用前の状態を示す断面図、（Ｂ）は使用時の状態を示す断面図である。
【符号の説明】
【００７３】
１ａ  ボトル容器
１ｂ  缶容器
２ａ  ボトル容器用包装体
２ｂ  缶容器用包装体
３ａ  胴部
３ｂ  首部
３ｄ  周溝
４  挿入孔
４ａ  爪片
５  保持シート部
６  袋部
７  保形シート
７ａ  延長シート
８  表フィルム
９  裏フィルム
８ａ、９ａ  基端部
８ｂ、９ｂ  延長端
１０  溶着線
１１  物品収納室
１１ａ  延長室
１２  開口部
１３、１４  折曲部
１５  封口片
１６  粘着手段
１７  離型テープ
１８  溶着阻止剤
１９  サイドシール部
【図１】
2009018854.tif 000003
【図２】
2009018854.tif 000004
【図３】
2009018854.tif 000005
【図４】
2009018854.tif 000006
【図５】
2009018854.tif 000007
【図６】
2009018854.tif 000008
【図７】
2009018854.tif 000009
【図８】
2009018854.tif 000010
【図９】
2009018854.tif 000011
【図１０】
2009018854.tif 000012
【図１１】
2009018854.tif 000013